(57)【要約】【課題】径の異なる光ファイバ同士を複数本ずつ一括接続することを可能とする光ファイバホルダ及びそれに使用する配列部材を提供する。【構成】光ファイバホルダ（１０１）は、光ファイバ心線を把持するための溝を備えたホルダ本体（１０２）と、該ホルダ本体（１０２）の溝形成面側に開閉自在に取り付けられた蓋体（１０３）とを備えており、上記ホルダ本体（１０２）に、複数本の光ファイバ心線を整列するための第１配列溝（１０４）と、該第１配列溝（１０４）の長手方向に光ファイバ心線の配列ピッチを変換するための複数の位置決め溝（１０５）と、該位置決め溝（１０５）の長手方向に複数本の光ファイバ心線を整列するための第１配列溝（１０４）よりも狭い幅の第２配列溝（１０６）とを形成している。【選択図】      図１
2005258129.tif 000002
【特許請求の範囲】
【請求項１】
光ファイバ心線を把持するための溝を備えたホルダ本体（１０２）と、該ホルダ本体（１０２）の溝形成面側に開閉自在に取り付けられた蓋体（１０３）とを備えた光ファイバホルダにおいて、上記ホルダ本体（１０２）に、複数本の光ファイバ心線を整列するための第１配列溝（１０４）と、該第１配列溝（１０４）の長手方向に光ファイバ心線の配列ピッチを変換するための複数の位置決め溝（１０５）と、該位置決め溝（１０５）の長手方向に複数本の光ファイバ心線を整列するための第１配列溝（１０４）よりも狭い幅の第２配列溝（１０６）とを形成したことを特徴とする光ファイバホルダ。
【請求項２】
光ファイバ心線を把持するための溝を備えたホルダ本体（３０２）と、該ホルダ本体（３０２）の溝形成面側に開閉自在に取り付けられた蓋体（３０３）とを備えた光ファイバホルダにおいて、上記ホルダ本体（３０２）に、複数本の光ファイバ心線を配列した配列部材（３０７）を収納するための第１収納溝（３０４）と、第１収納溝（３０４）の長手方向に光ファイバ心線の配列ピッチを変換するための複数の位置決め溝（３０５）と、該位置決め溝（３０５）の長手方向に複数本の光ファイバ心線整列するための配列溝（３０６）とを形成したことを特徴とする光ファイバホルダ。
【請求項３】
上記ホルダ本体部（３０２）の光ファイバ心線の配列ピッチを変換するための位置決め溝（３０５）を形成した面と反対側の面に、複数本の光ファイバ心線を配列した配列部材（３０７）を収納するための第２収納溝（４０２）を有することを特徴とする請求項２に記載の光ファイバホルダ。
【請求項４】
上記光ファイバ心線の配列ピッチを変換するための複数の位置決め溝（１０５、３０５）が上記第１配列溝（１０４）もしくは上記配列部材（３０７）へ配列する光ファイバ心線の外径よりも大きい深さの溝で形成されていることを特徴とする請求項１〜３のいずれかに記載の光ファイバホルダ。
【請求項５】
請求項２〜４に記載の光ファイバホルダに使用される複数本の光ファイバ心線を配列するための配列部材であって、配列する光ファイバ心線の本数分の幅を有する溝を備え、該溝の光ファイバ心線と接する面が半粘着性の部材で形成されていることを特徴とする配列部材。
【発明の詳細な説明】
【技術分野】
【０００１】
本発明は光ファイバホルダおよび配列部材に関し、特に、径の異なる光ファイバを複数本一括して接続する際に用いる光ファイバホルダおよび配列部材に関するものである。
【背景技術】
【０００２】
通信の分野においては、高速・大容量伝送が可能な光ファイバが伝送線路の主流となり、既に中・長距離幹線のほとんどが従来のメタルケーブルから光ファイバケーブルに代わっている。特に近年においては、幹線から各家庭までの伝送経路を光ファイバ化する光加入者系伝送システムの実用化が始まっている。この場合、各加入者宅へ少なくとも１心の単心線を備えたケーブルを引き込んでいる。また、幹線ケーブルでは、１心の光ファイバ心線をテープ状に一括被覆した多心（４心や８心）の光ファイバテープ心線が使用されている。そのため、局から延線された幹線ケーブルの光ファイバテープ心線を加入者宅近傍で単心線に分岐し、引き込み用単心線と接続して各加入者宅へ光ファイバを配線している。
【０００３】
この配線時の単心線に分岐する作業の簡略化および単心線の取扱い性の面から、外径０．２５mmの単心線に、図２に示すように、更に１層以上の被覆層を設けて積層構造とし、単心線を太径化する検討が行われている。
【０００４】
一方、光ファイバの接続には、光ファイバ素線をＶ溝内で突き合わせて軸合わせを行うと共に、その状態で固定することで、簡易に素線同士の接続を行うメカニカルスプライスや光ファイバ素線同士を突き合わせ、その突き合わせ面を互いに溶融させて接続する融着接続等がある。これら接続は、単心線同士もしくは同じ配列ピッチで単心線が整列されたテープ心線同士の接続が可能である。
【０００５】
また、これら接続に供する各光ファイバ心線を保持するために光ファイバホルダが用いられる。図８に示すように、光ファイバホルダ（８００）は、光ファイバ心線を真っ直ぐに把持するための溝（８０２）を備えた本体（８０１）と本体（８０１）の溝形成面側に開閉自在に取り付けられた蓋体（８０３ａ）、（８０３ｂ）とで構成される。本体（８０１）の溝形成面側には磁石（８０４）が埋設されており、この磁石（８０４）によって本体（８０１）と蓋体（８０３ａ）、（８０３ｂ）とが磁着され、その結果、光ファイバ心線（８０６）を把持している。また、蓋体（８０３ａ）、（８０３ｂ）には、溝（８０２）との当接部には、それぞれゴムや紙ヤスリ等の押さえ部材（８０５）が設けられており、各押さえ部材（８０５）が、溝（８０２）内に配設される光ファイバ心線（８０６）の溝延長方向のずれを防いでいる。
【特許文献１】特開２００３−１７２８４５
【発明の開示】
【発明が解決しようとする課題】
【０００６】
ところで、この光ファイバホルダは、１本の単心線や１本のテープ心線、または複数の外径０.２５mmの単心線をテープ心線と同じ配列ピッチで整列させ、把持するものであった。
【０００７】
したがって、単心線を太径化させた場合、たとえば、外径０．５mmの単心線とした場合、この単心線を整列すると配列ピッチは０．５mmとなり、テープ心線の配列ピッチ(０．２５mm)と異なってしまい、従来のメカニカルスプライスや融着接続では多心同士の一括接続が行えなかった。このため、テープ心線を単心線に分離して複数回の接続を行うことが必要となり、接続作業時間が増加するといった問題があった。
【０００８】
そこで、本発明は、上記課題を解決し、径の異なる光ファイバを複数本一括接続することを可能にする、光ファイバホルダおよびそれに使用する配列部材を提供することを目的とする。
【課題を解決するための手段】
【０００９】
上記目的を達成するために、本発明の光ファイバホルダは、光ファイバ心線を把持するための溝を備えたホルダ本体と、該ホルダ本体の溝形成面側に開閉自在に取り付けられた蓋体とを備えた光ファイバホルダにおいて、上記ホルダ本体に、複数本の光ファイバ心線を整列するための第１配列溝と、該第１配列溝の長手方向に光ファイバ心線の配列ピッチを変換するための複数の位置決め溝と、該位置決め溝の長手方向に複数本の光ファイバ心線を整列するための第１配列溝よりも狭い幅の第２配列溝とを形成したことを特徴とするものである。
【００１０】
さらに、上記目的を達成するために、本発明の光ファイバホルダは、光ファイバ心線を把持するための溝を備えたホルダ本体と、該ホルダ本体の溝形成面側に開閉自在に取り付けられた蓋体とを備えた光ファイバホルダにおいて、上記ホルダ本体に、複数本の光ファイバ心線を配列した配列部材を収納するための第１収納溝と、第１収納溝の長手方向に光ファイバ心線の配列ピッチを変換するための複数の位置決め溝と、該位置決め溝の長手方向に複数本の光ファイバ心線整列するための配列溝とを形成したことを特徴とするものである。
【００１１】
また、上記ホルダ本体部の位置決め溝を形成した面と反対側の面に、上記配列部材を収納するための第２収納溝を設けていることが好ましい。
【００１２】
また、上記位置決め溝は、上記第１配列溝もしくは上記配列部材へ配列する光ファイバ心線の外径よりも大きい深さの溝で形成されていることが好ましい。
【００１３】
また、本発明の配列部材は、上記光ファイバホルダに使用するものであって、配列する光ファイバ心線の本数分の幅を有する溝を備え、該溝の光ファイバ心線と接する面が半粘着性の部材で形成されていることを特徴とするものである。
【発明の効果】
【００１４】
本発明の光ファイバホルダは、ホルダ本体に複数本の光ファイバ心線を整列するための第１配列溝と、光ファイバ心線の配列ピッチを変換するための複数の位置決め溝と、第１配列溝よりも狭い幅の第２配列溝とを形成していることにより、複数本の光ファイバ心線の配列ピッチを、第１配列溝に整列した配列ピッチから第２配列溝に整列した配列ピッチへと変換することが可能である。この配列ピッチの変換により、異なる径の光ファイバ同士の配列ピッチを等しくすることができるので、複数本を一括接続することが可能となり、単心線ごと接続する場合に比較して接続時間が短縮できる。
【００１５】
本発明の光ファイバホルダは、ホルダ本体に複数本の光ファイバ心線を配列した配列部材を収納するための第１収納溝と、光ファイバ心線の配列ピッチを変換するための複数の位置決め溝と、複数本の光ファイバ心線を整列するための配列溝とを形成していることにより、複数の光ファイバ心線の配列ピッチを、配列部材に配列した配列ピッチから配列溝に配列した配列ピッチへと変換することが可能である。この配列ピッチの変換により、異なる径の光ファイバ同士の配列ピッチを等しくすることができるので、複数本を一括接続することが可能となり、単心線ごと接続する場合に比較して接続時間が短縮できる。
【００１６】
また、複数本の光ファイバ心線を予め配列部材に配列した後に、該配列部材をホルダ本体の第１収納溝に設置することができるので、作業が簡便になる。また、複数本の光ファイバ心線を配列部材に配列した後に、複数本の光ファイバ心線の被覆層一部除去を一括して行うことができるので作業手順を減らすことができる。
【００１７】
また、ホルダ本体部の位置決め溝を形成した面と反対側の面に、配列部材を収納するための第２収納溝を設けることにより、配列部材を第２収納溝に設置することができる。これにより、配列部材のサイズが小さく取り扱い難い場合は、配列部材を第２収納溝にセットして取り扱うことで、作業を容易にすることができる。
【００１８】
また、配列部材が配列する光ファイバ心線の本数分の幅を有する溝を備え、該溝の光ファイバ心線と接する面が半粘着性の部材で形成されていることにより、一度配列した光ファイバ心線が配列部材の溝より外れにくくなり、作業性を向上させることができる。
【００１９】
また、光ファイバ心線の配列ピッチを変換するための複数の位置決め溝が第１配列溝もしくは配列部材へ配列する光ファイバ心線の外径よりも大きい深さの溝で形成されていることにより、該位置決め溝において光ファイバ心線が飛び出すことなく余裕をもって収納でき、取り扱いが容易となる。
【発明を実施するための最良の形態】
【００２０】
本発明の実施形態を図面に基いて説明する。
【００２１】
第１の実施形態の光ファイバホルダを図１に示す。図１（ｂ）は、図１（ａ）の光ファイバホルダに図２に示す光ファイバ心線を収納した状態を示している。
【００２２】
光ファイバホルダ（１０１）は、光ファイバ心線（２０１）をその長手方向に保持する本体（１０２）と、本体の溝形成面側に開閉自在に取り付けられた蓋体（１０３ａ）（１０３ｂ）と、ホルダ本体（１０２）に複数本（図１では４本）の光ファイバ心線（２０１）を整列するための第１配列溝（１０４）と、第１配列溝の長手方向に光ファイバ心線の配列ピッチを変換するための複数（図では４つ）の位置決め溝（１０５）と、位置決め溝（１０５）の長手方向に、第２次被覆層を除去した光ファイバ心線を整列するための第１配列溝（１０４）よりも狭い幅の第２配列溝（１０６）とを有している。
【００２３】
より具体的に、外径０．５mmの単心線４本を１本の外形が０．２５mmである４心のテープ心線と一括接続する場合に使用する光ファイバホルダでは、第1配列溝は外径０．５mmの光ファイバ心線を４本並べられるよう０．５×４＝２mm程度の溝幅を形成し、第２配列溝は外径が０．２５mmの光ファイバ心線を４本並べられるよう０．２５×４＝１mm程度の溝幅を形成している。配列ピッチを変換する位置決め溝（１０５）は、入口側（１０５ａ）が０．５mmピッチで配列された光ファイバ心線の第１次被覆層（２０３）が収納、配線できるようになっており、出口側（１０５ｂ）は、外径０.２５mmの第１次被覆層（２０３）が４本並べて０．２５mmピッチで配列できるようになっており、４本の溝は入口側（１０５ａ）から出口側（１０５ｂ）に向かって全体の幅が狭くなるように形成されている。配列ピッチを変換する位置決め溝（１０５）は、その深さが０．５mmよりも大きく形成することが好ましい。
【００２４】
第２の実施形態の光ファイバホルダを図３に示す。図３は図２に示す光ファイバ心線を配列した配列部材を収納した状態を示している。
【００２５】
光ファイバホルダ（３０１）は、光ファイバ心線（２０１）をその長手方向に保持する本体（３０２）と、本体の溝形成面側に開閉自在に取り付けられた蓋体（３０３ａ）（３０３ｂ）と、ホルダ本体（３０２）に複数本（図３では４本）の光ファイバ心線（２０１）を配列した配列部材（３０７）を収納するための第１収納溝（３０４）と、第１収納溝（３０４）の長手方向に光ファイバ心線の配列ピッチを変換するための複数（図３では４つ）の位置決め溝（３０５）と、位置決め溝（３０５）の長手方向に第２次被覆層を除去した光ファイバ心線を整列するための配列溝（３０６）とを有している。
【００２６】
より具体的に、外径０．５mmの単心線４本を１本の外形が０．２５mmである４心のテープ心線と一括接続する場合に使用する光ファイバホルダでは、第１収納溝には外径０．５mmの光ファイバ心線（２０１）を４本並べて配列した配列部材（３０７）を収納でき、配列溝（３０６）は外径０.２５mmの光ファイバ心線を４本並べられるよう０.２５×４＝１mm程度の溝幅を形成している。配列ピッチを変換する位置決め溝（３０５）は入口側（３０５ａ）が０．５mmピッチで配列された光ファイバ心線の第１次被覆層（２０３）が収納、配線できるようになっており、出口側（３０５ｂ）は、第１次被覆層（２０３）が４本並べて０．２５mmピッチで配列できるようになっており、４本の溝は入口側（３０５ａ）から出口側（３０５ｂ）に向かって全体の幅が狭くなるように形成されている。配列ピッチを変換する位置決め溝（１０５）は、その深さが０．５mmよりも大きく形成することが好ましい。
【００２７】
また、配列部材（３０７）には、光ファイバ心線（２０１）と接する溝面に半粘着性のシートを設けていることが好ましい。
【００２８】
また、図４に示すように、光ファイバホルダ（４０１）の裏面側に配列部材（３０７）を収納できる第２収納溝（４０２）を設けていても良い。
【００２９】
次に本発明の光ファイバホルダ及び配列部材を用いた光ファイバの一括接続方法を説明する。具体的には、図２に示す外径が０．５mmである光ファイバ心線４本と、１本の外形が０．２５mmである４心の光ファイバテープ心線とを一括接続する方法を説明する。図２の光ファイバ心線は、外径０.１２５mmの光ファイバ裸素線（２０２）の周上に第１次被覆層（２０３）が形成されており、該第１次被覆層には識別のための着色層が施されて外径０.２５mmとなり、さらにこの被覆層上に、第２次被覆層（２０４）が形成されて外径０．５mmとなっているものである。
【００３０】
第１の形態の光ファイバホルダを使用した光ファイバの一括接続方法の作業手順を図５に基いて説明する。
（１）外径０．５mmの光ファイバ心線（２０１）の端部の第２次被覆層（２０４）を１本ずつ除去する。
（２）端部の第２次被覆層を除去した光ファイバ心線を４本まとめて第１配列溝（１０４）に整列し、第１配列溝側の蓋体（１０３ｂ）を閉じる。このとき、第２次被覆層を除去して第１次被覆層（２０３）が最外層となっている部分と第２次被覆層（２０４）が最外層となっている部分との境界は、配列ピッチを変換するための位置決め溝（１０５）の入口側（１０５ｂ）よりも第１配列溝（１０４）側に位置するように整列させる。位置決め溝（１０５）に第１次被覆層（２０３）が最外層となっている部分の光ファイバ心線を各溝に１本ずつ配線されるように収納し、第２配列溝（１０６）で４本集合して配列させ、０．２５mmピッチで配列された状態で、蓋体（１０３ａ）を閉じる。
（３）光ファイバホルダに収めた光ファイバ心線の端部の第1次被覆層（２０３）を４本同時に除去し、光ファイバ裸素線（２０２）を露出させて、該光ファイバ裸素線端面の鏡面カットを４本同時に行う。
（４）このとき、光ファイバ心線の配列ピッチは０.２５mmとなっており、１本の外径が０．２５mmである４心の光ファイバテープ心線の配列ピッチと同じになっているので、光ファイバ心線４本を配列した光ファイバホルダと４心の光ファイバテープ心線を保持した別の光ファイバホルダとを図示しないメカニカルスプライスや融着接続器にセットし、光ファイバ心線同士を一括接続を行う。
【００３１】
以上のように、本発明の第１の実施形態の光ファイバホルダを用いて、配列ピッチを０．５mmから０．２５mmへと容易に変換でき、径の異なる光ファイバ心線同士の一括接続が可能となる。また、配列ピッチを変換する位置決め溝（１０５）を、その深さが０．５mmよりも大きく形成すれば、光ファイバ心線を位置決め溝にスムーズに収納でき、光ファイバ心線の飛び出しなどを抑制できる。
【００３２】
第２の形態の光ファイバホルダを使用した光ファイバの一括接続方法の作業手順を図６、７に基いて説明する。
（１）外径０．５mmの光ファイバ心線（２０１）を配列部材（３０７）に４本整列させる。
（２）配列部材（３０７）に配列保持した光ファイバ心線の端部の第２次被覆層を４本一括除去を行う。この時、配列部材（３０７）を光ファイバホルダ（４０１）の第２収納溝（４０２）にセットした後、光ファイバ心線（２０１）の端部の第２次被覆層（２０４）の一括除去を行っても良い。
（３）配列部材を第１収納溝（３０４）へセットして蓋体（３０３ｂ）を閉じる。このとき、位置決め溝（３０５）に、第２次被覆層を除去して第１次被覆層（２０３）が表面となっている部分の光ファイバ新線を各溝に１本ずつ配線されるように収納し、配列溝（３０６）で４本集合して配列させ、０.２５mmピッチで配列された状態で、蓋体（３０３ａ）を閉じる。
（４）光ファイバホルダに収めた光ファイバ心線の端部の第1次被覆層（２０３）を４本同時に除去し、光ファイバ裸素線（２０２）を露出させて、該光ファイバ裸素線端面の鏡面カットを４本同時に行う。
（５）このとき、光ファイバ心線の配列ピッチは０.２５mmとなっており、１本の外径が０．２５mmである４心の光ファイバテープ心線の配列ピッチと同じになっているので、光ファイバ心線４本を配列した光ファイバホルダと４心の光ファイバテープ心線を保持した別の光ファイバホルダとを図示しないメカニカルスプライスや融着接続器にセットし、光ファイバ心線同士を一括接続を行う。図７に外径０．５mmの単心線４本と１本の外形が０．２５mmである４心の光ファイバテープ心線を接続した状態を示す。
【００３３】
以上のように、本発明の第２の実施形態の光ファイバホルダを用いて、配列ピッチを０．５mmから０．２５mmへと容易に変換でき、径の異なる光ファイバ心線同士の一括接続が可能となる。また、配列ピッチを変換する位置決め溝（１０５）を、その深さが０．５mmよりも大きく形成すれば、光ファイバ心線を位置決め溝にスムーズに収納でき、光ファイバ心線の飛び出しなどを抑制できる。また、配列部材（３０７）の光ファイバ心線（２０１）と接する溝面に半粘着性のシートを設けることにより、一度セットした光ファイバ心線が外れにくくなり、作業性を向上させることができる。また、配列部材（３０７）に配列した光ファイバ心線（２０１）の端部の第２次被覆層（２０４）を一括除去する際に、配列部材（３０７）が小さく取り扱いずらい場合でも、第２収納溝（４０２）へ配列部材（３０７）をセットして行うことで、その作業を容易に行うことができる。
【図面の簡単な説明】
【００３４】
【図１】本発明の一実施例を示す光ファイバホルダを示したものである。
【図２】本発明による光ファイバホルダで使用する光ファイバ心線を示したものである。
【図３】本発明の一実施例を示す光ファイバホルダを示したものである。
【図４】本発明の一実施例を示す光ファイバホルダを示したものである。
【図５】本発明による光ファイバホルダを使用した作業手順を説明する図である。
【図６】本発明による光ファイバホルダを使用した作業手順を説明する図である。
【図７】本発明による光ファイバホルダを使用して光ファイバテープ心線と単心線を接続した状態のメカニカルスプライスを示したものである。
【図８】従来技術の光ファイバホルダを示したものである。
【符号の説明】
【００３５】
１０１  光ファイバホルダ
１０２  ホルダ本体
１０３  蓋体
１０４  第１配列溝
１０５  配列ピッチを変換する位置決め溝
１０６  第２配列溝
２０１  光ファイバ心線
２０２  光ファイバ裸素線
２０３  光ファイバ心線第１次被覆層
２０４  光ファイバ心線第２次被覆層
３０１  光ファイバホルダ
３０２  ホルダ本体
３０３  蓋体
３０４  第１収納溝
３０５  配列ピッチを変換する位置決め溝
３０６  配列溝
３０７  配列部材
４０１  光ファイバホルダ
４０２  第２収納溝
７０１  メカニカルスプライス
７０２  光ファイバテープ心線
７０３  単心線（第１次被覆層）
７０４  単心線（第２次被覆層）
８００  光ファイバホルダ
８０１  ホルダ本体
８０２  溝
８０３  蓋体
８０４  磁石
８０５  押さえ部材
８０６  光ファイバ心線
【図１】
2005258129.tif 000003
【図２】
2005258129.tif 000004
【図３】
2005258129.tif 000005
【図４】
2005258129.tif 000006
【図５】
2005258129.tif 000007
【図６】
2005258129.tif 000008
【図７】
2005258129.tif 000009
【図８】
2005258129.tif 000010